(57)【要約】【課題】データ量を抑えかつ演出内容がステップダウンすることのないパチンコ機を提供する。【解決手段】擬似変動中に表示する各擬似連用演出画像には、表示されたときの当たりの期待度に対応するフラグ値が付されている。演出態様決定部は、最終回のフラグ値を抽選により本決定した後、最終回以外の各回のフラグ値を抽選により仮決定する。次に、２次元のマップ情報からなる補正テーブル用い、最終回のフラグ値と仮決定されたフラグ値との交差位置に記憶された情報に基づいて補正フラグ値を抽出する。続いて、この補正フラグ値と前回のフラグ値とを比較して、補正フラグ値の方が大きい場合、補正フラグ値を今回のフラグ値として本決定し、補正フラグ値の方が小さい場合、前回のフラグ値を今回のフラグ値として本決定する。【選択図】図３
2010187736.tif 000002
【特許請求の範囲】
【請求項１】
１回の変動表示中に複数回の擬似変動を連続して行う擬似連続変動表示機能を備えたパチンコ機において、
擬似変動中に行う演出の種類に対応して値が異なり、対応する演出が実行されたときの当たりの期待度が高いほど値が大きく設定されたフラグ値を記憶した第１記憶手段と、
最終回の擬似変動中に行う演出のフラグ値を決定した後、初回から最終回の１回前までの各回の擬似変動中に行う演出のフラグ値を仮決定するフラグ値決定手段と、
比較対象の一方のフラグ値の大きさに対応する縦軸と比較対象の他方のフラグ値の大きさに対応する横軸との交差位置に、許可情報と値情報とのいずれか一方が記憶された２次元のマップ情報からなる比較テーブルを記憶した第２記憶手段と、
前記比較テーブルを用いて最終回のフラグ値と仮決定されたフラグ値とを比較し、前記交差位置に許可情報が記憶されている場合は仮決定されたフラグ値を、前記交差位置に値情報が記憶されている場合はこの値を補正フラグ値として抽出する第１補正処理手段と、
初回のフラグ値として仮決定されたフラグ値に基づいて前記第１補正処理手段が抽出した補正フラグ値を初回のフラグ値として決定するとともに、２回目以降のフラグ値として仮決定されたフラグ値に基づいて前記第１補正処理手段が抽出した補正フラグ値と決定済みの前回のフラグ値とを比較して、補正フラグ値が前回のフラグ値を下回る場合、前回のフラグ値を今回のフラグ値として決定し、補正フラグ値が前回のフラグ値を上回る場合、補正フラグ値を今回のフラグ値として決定する第２補正処理手段と、
前記フラグ値決定手段、前記第１補正処理手段、前記第２補正処理手段による処理を経て決定されたフラグ値に対応する演出を実行する演出制御手段とを備えたことを特徴とするパチンコ機。
【請求項２】
前記フラグ値決定手段は、予め設定されたフラグ値以上のフラグ値を、最終回のフラグ値として決定することを特徴とする請求項１記載のパチンコ機。
【請求項３】
１回の変動表示中に複数回の擬似変動を連続して行う擬似連続変動表示機能を備えたパチンコ機において、
擬似変動中に行う演出の種類に対応して値が異なり、対応する演出が実行されたときの当たりの期待度が高いほど値が大きく設定されたフラグ値を記憶した第１記憶手段と、
最終回の擬似変動中に行う演出のフラグ値を決定した後、初回から最終回の１回前までの各回の擬似変動中に行う演出のフラグ値を仮決定するフラグ値決定手段と、
比較対象の一方のフラグ値の大きさに対応する縦軸と比較対象の他方のフラグ値の大きさに対応する横軸との交差位置に、許可情報と値情報とのいずれか一方が記憶された２次元のマップ情報からなる比較テーブルを記憶した第２記憶手段と、
前記比較テーブルを用いて最終回のフラグ値と仮決定されたフラグ値とを比較し、前記交差位置に許可情報が記憶されている場合は仮決定されたフラグ値を、前記交差位置に値情報が記憶されている場合はこの値を補正フラグ値として抽出する第１補正処理手段と、
初回のフラグ値として仮決定されたフラグ値に基づいて前記第１補正処理手段が抽出した補正フラグ値を初回のフラグ値として決定するとともに、前記比較テーブルを用い、２回目以降のフラグ値として仮決定されたフラグ値に基づいて前記第１補正処理手段が抽出した補正フラグ値と、決定済みの前回のフラグ値とを比較し、前記交差位置に許可情報が記憶されている場合は仮決定されたフラグ値を、前記交差位置に値情報が記憶されている場合は前回のフラグ値を今回のフラグ値として決定する第２補正処理手段と、
前記フラグ値決定手段、前記第１補正処理手段、前記第２補正処理手段による処理を経て決定されたフラグ値に対応する演出を実行する演出制御手段とを備えたことを特徴とするパチンコ機。
【発明の詳細な説明】
【技術分野】
【０００１】
本発明は、パチンコ店などの遊技場で用いられるパチンコ機に関するものである。
【背景技術】
【０００２】
パチンコ機では、始動入賞口に遊技球が入賞すると、当たり抽選が行われて当たりまたはハズレが決定される。また、パチンコ機では、液晶ディスプレイなどの表示手段を用い、背景画像やキャラクタ画像などの各種演出画像の表示、及び、数字やマークなどの図柄の変動表示を行うことによって遊技を演出している。表示する演出画像の種類や図柄の変動態様などの演出の態様は、当たり抽選の結果に基づいて決定される。
【０００３】
また、パチンコ機の中には、１回の変動表示中に、複数回の擬似変動を行う（変動表示中の図柄を擬似停止表示（例えば僅かに揺れるように表示）した後に変動表示を再開させる）ことによって、１回の変動表示であるにも関わらず、あたかも複数回の変動表示が連続して実行されたように見せる擬似連続変動表示と呼ばれる演出を行うパチンコ機もある（下記特許文献１〜４参照）。
【０００４】
一般に、擬似連続変動表示を行うパチンコ機では、擬似変動の回数が多いほど、当たりへの期待度が高くなる。また、擬似連続変動表示を行うパチンコ機では、擬似変動を重ねる毎に、演出内容がステップアップ（例えば、ストーリーが進行するなど）するように、ステップ毎に演出をグループ化し、各グループの演出をそれぞれ異なる記憶手段（記憶テーブル）に記憶させている。そして、擬似変動の回数に応じた記憶テーブルから、実行する演出の種類（態様）を決定している。
【先行技術文献】
【特許文献】
【０００５】
【特許文献１】特開２００６−２０４８０９号公報
【特許文献２】特開２００８−１９４０６９号公報
【特許文献３】特開２００８−２２８７９３号公報
【特許文献４】特開２００８−２２９１２０号公報
【発明の概要】
【発明が解決しようとする課題】
【０００６】
しかしながら、従来のパチンコ機では、ステップ毎に異なるテーブルを設けているため、各ステップで行う演出の態様を決定するためデータ量が大きくなってしまうといった問題があった。このため、１つのテーブルから複数の演出を選択して各ステップで実行するといったことも考えられる。しかし、この場合、演出内容がステップダウンしてしまう（前のステップよりも当たりの期待度が低い演出が行われてしまう）場合があり問題であった。
【０００７】
本願発明は上記背景を鑑みてなされたものであり、データ量を抑え、かつ、演出内容がステップダウンすることのないパチンコ機を提供することを目的としている。
【課題を解決するための手段】
【０００８】
上記目的を達成するために、本発明のパチンコ機は、１回の変動表示中に複数回の擬似変動を連続して行う擬似連続変動表示機能を備えたパチンコ機において、擬似変動中に行う演出の種類に対応して値が異なり、対応する演出が実行されたときの当たりの期待度が高いほど値が大きく設定されたフラグ値を記憶した第１記憶手段と、最終回の擬似変動中に行う演出のフラグ値を決定した後、初回から最終回の１回前までの各回の擬似変動中に行う演出のフラグ値を仮決定するフラグ値決定手段と、比較対象の一方のフラグ値の大きさに対応する縦軸と比較対象の他方のフラグ値の大きさに対応する横軸との交差位置に、許可情報と値情報とのいずれか一方が記憶された２次元のマップ情報からなる比較テーブルを記憶した第２記憶手段と、前記比較テーブルを用いて最終回のフラグ値と仮決定されたフラグ値とを比較し、前記交差位置に許可情報が記憶されている場合は仮決定されたフラグ値を、前記交差位置に値情報が記憶されている場合はこの値を補正フラグ値として抽出する第１補正処理手段と、初回のフラグ値として仮決定されたフラグ値に基づいて前記第１補正処理手段が抽出した補正フラグ値を初回のフラグ値として決定するとともに、２回目以降のフラグ値として仮決定されたフラグ値に基づいて前記第１補正処理手段が抽出した補正フラグ値と決定済みの前回のフラグ値とを比較して、補正フラグ値が前回のフラグ値を下回る場合、前回のフラグ値を今回のフラグ値として決定し、補正フラグ値が前回のフラグ値を上回る場合、補正フラグ値を今回のフラグ値として決定する第２補正処理手段と、前記フラグ値決定手段、前記第１補正処理手段、前記第２補正処理手段による処理を経て決定されたフラグ値に対応する演出を実行する演出制御手段とを備えたことを特徴としている。
【０００９】
前記フラグ値決定手段は、予め設定されたフラグ値以上のフラグ値を、最終回のフラグ値として決定することが好ましい。
【００１０】
また、本発明のパチンコ機は、１回の変動表示中に複数回の擬似変動を連続して行う擬似連続変動表示機能を備えたパチンコ機において、擬似変動中に行う演出の種類に対応して値が異なり、対応する演出が実行されたときの当たりの期待度が高いほど値が大きく設定されたフラグ値を記憶した第１記憶手段と、最終回の擬似変動中に行う演出のフラグ値を決定した後、初回から最終回の１回前までの各回の擬似変動中に行う演出のフラグ値を仮決定するフラグ値決定手段と、比較対象の一方のフラグ値の大きさに対応する縦軸と比較対象の他方のフラグ値の大きさに対応する横軸との交差位置に、許可情報と値情報とのいずれか一方が記憶された２次元のマップ情報からなる比較テーブルを記憶した第２記憶手段と、前記比較テーブルを用いて最終回のフラグ値と仮決定されたフラグ値とを比較し、前記交差位置に許可情報が記憶されている場合は仮決定されたフラグ値を、前記交差位置に値情報が記憶されている場合はこの値を補正フラグ値として抽出する第１補正処理手段と、初回のフラグ値として仮決定されたフラグ値に基づいて前記第１補正処理手段が抽出した補正フラグ値を初回のフラグ値として決定するとともに、前記比較テーブルを用い、２回目以降のフラグ値として仮決定されたフラグ値に基づいて前記第１補正処理手段が抽出した補正フラグ値と、決定済みの前回のフラグ値とを比較し、前記交差位置に許可情報が記憶されている場合は仮決定されたフラグ値を、前記交差位置に値情報が記憶されている場合は前回のフラグ値を今回のフラグ値として決定する第２補正処理手段と、前記フラグ値決定手段、前記第１補正処理手段、前記第２補正処理手段による処理を経て決定されたフラグ値に対応する演出を実行する演出制御手段とを備えたことを特徴としている。
【発明の効果】
【００１１】
本発明によれば、擬似変動中に行われる演出に、実行されたときの期待度が高いほど値が大きくなるようフラグ値を付し、前回のフラグ値よりも今回のフラグ値が高くなるように演出を決定するので、擬似変動の回数（ステップ）毎に異なるテーブルを設ける必要がなくデータ量を抑えることができる。また、演出内容がステップダウンしてしまうこともない。
【００１２】
また、本発明によれば、各回の擬似変動中に行う演出のフラグ値を決定する過程で、２次元のマップ情報からなる比較テーブルを用いたので、ステップアップのバリエーションを増やし、より遊技者の興趣を盛り上げることができる。
【００１３】
すなわち、前回のフラグ値（前回の擬似変動中の演出のフラグ値）が「５」であり、これ以上のフラグ値となるように今回のフラグ値を決定するといった処理を、１次元の比較テーブルを用いて行う場合、前回のフラグ値と今回のフラグ値として仮決定されたフラグ値とを比較して、前回のフラグ値が仮決定されたフラグ値よりも大きいか小さいかの２通りの処理しかできない。具体的には、今回のフラグ値として仮決定されたフラグ値が「５」以上のときは、今回のフラグ値を仮決定されたフラグ値とし、今回のフラグ値として仮決定されたフラグ値が「５」未満のときは、今回のフラグ値を「５」とするといった処理となる。つまり、仮決定されたフラグ値が「１」〜「４」のいずれであっても結果は変わらない。
【００１４】
これに対し２次元の比較テーブルを用いて上述した処理を行う場合、前回のフラグ値に対応する縦軸と今回のフラグ値として仮決定されたフラグ値に対応する横軸との交差位置に基づいて今回のフラグ値を決定できる。具体的には、前回のフラグ値が「５」、仮決定されたフラグ値が「１」である場合は、今回のフラグ値を「８」と決定し、前回のフラグ値が「５」、仮決定されたフラグ値が「２」である場合は、今回のフラグ値を「６」と決定するといった処理が可能となる。さらに、前回のフラグ値よりも仮決定されたフラグ値が小さい場合に限定されず、例えば、前回のフラグ値が「５」、仮決定されたフラグ値が「６」である場合に、今回のフラグ値を「８」と決定し、前回のフラグ値が「５」、仮決定されたフラグ値が「７」である場合に、今回のフラグ値を「６」とするといった処理も可能となる。
【００１５】
また、２次元の比較テーブルを用いることによって、ステップアップに一貫した流れを与えることができる。すなわち、擬似変動中に登場するキャラクタとして、キャラクタＡ、Ｂ、Ｃの３種類のキャラクタ設け、キャラクタＡからキャラクタＣへ向かうほど登場した場合の当たりの期待度を高く設定するとともに、各キャラクタの服の色が、白よりも青、青よりも赤となるほど当たりの期待度を高く設定した場合、キャラクタの種類と服の色とを組み合わせた９通りの演出（９つのフラグ値）が存在することになる。そして、このような場合に１次元の比較テーブルを用いてフラグ値の大小だけでステップアップを行うと、キャラクタＡで服が赤の演出の次にキャラクタＣで服が白の演出が行われる場合がある。このように、当たりの期待度を示す２つの要素のうち、一方がステップアップしていても他方がステップダウンしていると遊技者を混乱させてしまうといった問題がある。
【００１６】
これに対して、２次元の比較テーブルを用いれば、当たりの期待度を示す２つの要素の両方をステップアップさせる、すなわち、前回の演出よりも当たりの期待度が高いキャラクタを、前回の演出よりも当たりの期待度の高い服で登場させるなどの処理が可能となる。また、２次元の比較テーブルを用いれば、例えば、キャラクタＡで服の色が白の演出の次に行う演出としてキャラクタＣで服の色が赤の演出が仮決定された場合、この仮決定された演出をキャラクタＡで服の色が赤の演出に差し替えるといったように、キャラクタを統一し、服の色を変化させることでステップアップを行うといった処理も可能となる。もちろん、服の色を統一し、キャラクタを変化させることでステップアップを行うことも可能である。
【００１７】
また、最終回のフラグ値を先に決定する場合、最終回のフラグ値の値が小さいと、狭い範囲内で演出内容をステップアップさせることとなり、興趣の低下を招いてしまうといった問題があるが、所定のフラグ値よりも大きなフラグ値の中から最終回のフラグ値を所定すれば、このような問題を防止できる。
【図面の簡単な説明】
【００１８】
【図１】パチンコ機の概略を示す正面図である。
【図２】パチンコ機の電気的構成の概略を示すブロック図である。
【図３】演出が実行されるまでの流れを示すフローチャートである。
【図４】補正テーブルの構成を示す説明図である。
【図５】補正テーブルの構成を示す説明図である。
【図６】補正テーブルの構成を示す説明図である。
【図７】第１補正処理の流れを示すフローチャートである。
【図８】第２補正処理の流れを示すフローチャートである。
【図９】第２補正処理の流れを示すフローチャートである。
【発明を実施するための形態】
【００１９】
図１において、パチンコ機１０は、遊技盤１２を備えている。遊技盤１２には略円形の遊技領域１４が形成されており、遊技者の発射操作に応答して発射された遊技球はこの遊技領域１４を流下する。遊技領域１４には、始動入賞口１６、液晶ディスプレイ１８が設けられている。始動入賞口１６に遊技球が入賞すると当たり又はハズレを決定する当たり抽選が行われるとともに、液晶ディスプレイ１８において図柄の変動表示が開始される。
【００２０】
パチンコ機１０では、変動表示として、通常変動表示と、１回の変動表示中に複数回の擬似変動を連続して行う擬似連続変動表示とが行われ、通常変動表示または擬似連続変動表示後に停止表示される図柄の組み合わせによって当たり抽選の結果が報知される。そして、当たり抽選で当たりとなると、通常モードから当たりモードに移行する。当たりモードでは、アタッカが開放されて大入賞口２０へ遊技球を入賞させることが可能となる。
【００２１】
図２に示すように、パチンコ機１０の内部にはメイン制御基板３０が設けられており、パチンコ機１０の動作はメイン制御基板３０によって管制される。メイン制御基板３０は、メインＣＰＵ３２、メインメモリ３４を備えている。メインメモリ３４には、制御プログラムや各種設定情報などが記憶されており、メインＣＰＵ３２はメインメモリ３４に格納された情報に基づいて、パチンコ機１０の各部を統括的に駆動制御する。
【００２２】
メインＣＰＵ３２には、始動入賞口センサ３６が接続されている。また、メインＣＰＵ３２には、当たり抽選部３８が設けられている。始動入賞口センサ３６は、始動入賞口１６に遊技球が入ったことを検知して、その検知信号をメインＣＰＵ３２に入力する。メインＣＰＵ３２は、始動入賞口センサ３６からの検知信号に応答して当たり抽選部３８を作動させる。
【００２３】
当たり抽選部３８は、乱数を利用した当たり抽選を行い、当たり又はハズレのいずれかを決定する。当たり抽選で使用される当たり判定テーブルでは、抽選で抽出される全乱数値に当たり、ハズレのいずれかが割り当てられている。そして、当たり抽選では、抽選時に抽出された乱数値が当たり、ハズレのいずれに該当する値であるかによって当たり、ハズレが決定される。
【００２４】
また、パチンコ機１０は、サブ制御基板５０を備えている。サブ制御基板５０には、サブＣＰＵ（演出制御部）５２、サブメモリ（第１記憶手段、第２記憶手段）５４が設けられている。サブＣＰＵ５２には、当たり抽選の結果を示すコマンド信号がメイン制御基板３０から入力される。サブＣＰＵ５２は、このコマンド信号に基づいて実行する演出の態様（表示する演出画像）を決定して液晶ディスプレイ１８に表示させることにより遊技を演出する。
【００２５】
サブメモリ５４には、後述する補正テーブルが記憶されている他、通常変動表示中に表示する通常用演出画像と、擬似連続変動表示において各擬似変動中に表示する擬似連用演出画像が記憶されている。各擬似連用演出画像には、互いに異なるフラグ値が付されており、このフラグ値によって擬似連用演出画像の種類を判別できるようになっている。フラグ値は、対応する擬似連用演出画像が表示（対応する擬似変動が実行）された際の当たりの期待度が高いほどその値が大きくされている。
【００２６】
サブＣＰＵ５２には、演出態様決定部（フラグ値決定手段、第１補正処理手段、第２補正処理手段）５６が設けられている。サブＣＰＵ５２は、メイン制御基板３０からコマンド信号が入力されると演出態様決定部５６を作動させて、実行する演出の態様を決定する。
【００２７】
図３に示すように、演出態様決定部５６は、メイン制御基板３０から送られたコマンド信号に基づいて、通常変動表示と擬似連続変動表示とのいずれを行うかを決定する。通常変動表示を行うと決定された場合、演出態様決定部５６は、コマンド信号に基づいて、サブメモリ５４に記憶された通常用演出画像の中から表示する通常用演出画像を決定する。サブＣＰＵ５２は、液晶ディスプレイ１８を駆動して、この通常用演出画像を表示させる。
【００２８】
他方、擬似連続変動表示を行うと決定された場合、演出態様決定部５６は、コマンド信号に基づいて、擬似変動の回数（ステップ数）を決定する。次に、演出態様決定部５６は、サブメモリ５４に記憶されたフラグ値の中から１つのフラグ値を抽選により抽出する。そして、このフラグ値に対応する擬似連用演出画像を、最終回の擬似変動中に表示する擬似連用演出画像として決定（本決定）する。
【００２９】
続いて、演出態様決定部５６は、サブメモリ５４に記憶されたフラグ値の中から１つのフラグ値を抽選により抽出し、このフラグ値に対応する擬似連用演出画像を、初回の擬似変動中に表示する擬似連用演出画像として仮決定する。さらに、演出態様決定部５６は、同様の手順で、２回目から最終回の１回前までの擬似変動中に表示する擬似連用演出画像を順に仮決定する。
【００３０】
次に、演出態様決定部５６は、初回の擬似変動中に表示する擬似連用演出画像として仮決定された擬似連用演出画像のフラグ値（以下、初回のフラグ値）に対して後述する第１補正処理を行って初回の擬似変動中に表示する擬似連用演出画像を本決定する。続いて、演出態様決定部５６は、２回目から最終回の１回前までの擬似変動中に表示する擬似連用演出画像として仮決定された擬似連用演出画像のフラグ値に対して前述の第１補正処理、及び、後述する第２補正処理を行って、２回目から最終回の１回前までの擬似変動中に表示する擬似連用演出画像を順に本決定する。
【００３１】
以下、第１補正処理と第２補正処理の具体的な処理内容、並びに、初回から最終回の１回前までの擬似変動中に表示する擬似連用演出画像が本決定されるまでの具体的な手順について説明する。第１補正処理では、サブメモリ５４に記憶された補正テーブル（比較テーブル）が用いられる。
【００３２】
図４、図５、図６に示すように補正テーブルは、フラグ値に対応する縦軸と横軸との交差位置に、「○（許可情報）」、もしくは、補正フラグ値を示す「数値（値情報）」が記憶されたものである。補正テーブルは、遊技状態や擬似連続変動表示の最終回の擬似変動からリーチ演出に発展するか否かなどに応じて複数種類設けられている。なお、実際には図示した３種類の補正テーブル以外にも多数の補正テーブルが設けられているが、説明を簡略化するために他の補正テーブルについては図示を省略している。
【００３３】
図７に示すように、第１補正処理では、最終回の擬似変動中に表示する擬似連用演出画像のフラグ値（以下、最終回のフラグ値）として決定されたフラグ値を横軸、仮決定されたフラグ値を縦軸とし、縦軸と横軸の交差位置に「○」が記憶されていた場合、仮決定されたフラグ値を補正フラグ値として抽出する。他方、縦軸と横軸の交差位置に「数値」が記憶されていた場合、この「数値」を補正フラグ値として抽出する。
【００３４】
例えば、遊技状態が「Ａ（図４の状態）」、最終回のフラグ値が「１３（キャラクタＣ、赤服）」であるときに、仮決定されたフラグ値が「８（キャラクタＣ、青服）」である場合、補正テーブルには最終回のフラグ値と仮決定されたフラグ値との交差位置に「○」が記憶されているので、抽出される補正フラグ値は「８」となる。また、遊技状態と最終回のフラグ値とが前述した場合と同じで、仮決定されたフラグ値が「２２（キャラクタＧ、特別服）」である場合は、交差位置に「１３」が記憶されているので、補正フラグ値は「１３」となる。同様に、仮決定されたフラグ値が「５（キャラクタＥ、白服）」である場合、補正フラグ値は「３（キャラクタＣ、白服）」となる。
【００３５】
そして、このようにして得られた補正フラグ値が、初回のフラグ値として仮決定されたフラグ値に基づいて抽出されたものである場合、この補正フラグ値が初回のフラグ値として本決定される（図３参照）。一方、このようにして得られた補正フラグ値が、２回目から最終回の１回前までのいずれかのフラグ値として仮決定されたフラグ値に基づいて抽出されたものである場合、抽出された補正フラグ値に対して第２補正処理が行われる。
【００３６】
図８に示すように、第２補正処理では、補正フラグ値と、前回のフラグ値として本決定済みのフラグ値とを比較する。そして、補正フラグ値が前回のフラグ値よりも大きい場合は、補正フラグ値を今回のフラグ値として本決定する。他方、補正フラグ値よりも前回のフラグ値よりも小さい場合、前回のフラグ値を今回のフラグ値として本決定する。
【００３７】
例えば、２回目のフラグ値を本決定する場合であり、遊技状態が「Ａ」、前回（初回）のフラグ値として本決定済みのフラグ値が「８」、今回（２回目）のフラグ値として仮決定されたフラグ値に基づいて抽出された補正フラグ値が「４」である場合、今回（２回目）のフラグ値は「８」となる。また、他の条件が同じで、今回（２回目）のフラグ値として仮決定されたフラグ値に基づいて抽出された補正フラグ値が「１０」である場合、今回（２回目）のフラグ値は「１０」となる。
【００３８】
サブＣＰＵ５２は、このようにして本決定された初回から最終回のフラグ値に対応する擬似連用演出画像を、初回分から連続的に液晶ディスプレイ１８に表示する（擬似連続変動表示を行う）（図３参照）。
【００３９】
なお、本発明は上記実施形態に限定されるものではないので、例えば、比較テーブルの具体的な内容や、擬似連用演出画像の種類（擬似変動中に行う演出の態様）など細部の構成は適宜変更できる。
【００４０】
例えば、上記実施形態では、最終回のフラグ値を本決定した後に、初回から最終回の１回前までのフラグ値を初回のフラグ値から順に本決定する例で説明をしたが、本発明はこれに限定されるものではない。最終回から初回へ向けて擬似変動のステップが高い方から順に（擬似変動の回数が多い方から順に）フラグ値を本決定してもよい。同様に、初回から最終回へ向けて擬似変動のステップが低い方から順にフラグ値を本決定してもよい。
【００４１】
なお、最終回のフラグ値を初めに本決定する場合、最終回のフラグ値の値が小さいと、狭い範囲内で演出内容をステップアップさせることとなり、興趣の低下を招いてしまうといった問題がある。このため、最終回のフラグ値は、予め設定された所定のフラグ値以上のフラグ値の中から抽選により本決定することが好ましい。こうすることで、広い範囲内で演出内容をステップアップさせることが可能となる。同様に、初回のフラグ値を初めに本決定する場合は、所定フラグ値以下のフラグ値の中から初回のフラグ値を本決定することが好ましい。
【００４２】
なお、上記実施形態では、第２補正処理において、補正フラグ値と前回のフラグ値との大小を比較して、今回のフラグ値を決定する例で説明をしたが、本発明はこれに限定されるものではない。例えば、図９に示すように、第１補正処理で用いた補正テーブルと同じ補正テーブルを用い、補正フラグ値を横軸、前回のフラグ値を縦軸とし、横軸と縦軸の交差位置に記憶された情報を読み取るり、交差位置に許可情報が記憶されていた場合は補正フラグ値を今回のフラグ値として本決定し、交差位置に値情報が記憶されていた場合は前回のフラグ値を今回のフラグ値として本決定してもよい。
【００４３】
この場合、例えば、２回目のフラグ値を本決定する場合であり、遊技状態が「Ａ（図６参照）」、前回のフラグ値として本決定済みのフラグ値が「８」、今回（２回目）のフラグ値として仮決定されたフラグ値に基づいて抽出された補正フラグ値が「４」である場合、前回のフラグ値（横軸）と補正フラグ値（縦軸）との交差位置には数値情報が記憶されているので、今回（２回目）のフラグ値は「８」となる。また、他の条件が同じで、前回（初回）のフラグ値が「４」である場合、今回（２回目）のフラグ値は「４」となる。
【００４４】
また、上記実施形態では、第１補正処理により補正フラグ値を抽出し、この補正値に基づいて第２補正処理を行う例で説明をしたが、例えば、初回から最終回へ向けて擬似変動のステップが低い方から順にフラグ値を本決定する場合や、最終回から初回へ向けて擬似変動のステップが高い方から順にフラグ値を本決定する場合、第１補正処理のみを行ってフラグ値を本決定してもよい。
【００４５】
以下、第１補正処理のみを行ってフラグ値を本決定する具体的な手順を、初回から最終回へ向けて擬似変動のステップが低い方から順にフラグ値を本決定する場合について説明を行う。この場合、初めに、初回のフラグ値を抽選により本決定した後、２回目から最終回へ向けて擬似変動のステップが低い方から順に、抽選によりフラグ値を仮決定する。
【００４６】
次に、上述したような２次元のマップ情報からなる比較テーブルを用いて、この比較テーブルから、初回のフラグ値と２回目のフラグ値として仮決定されたフラグ値との交差位置に記憶された情報を読み出し、読み出した情報に対応するフラグ値を２回目のフラグ値として本決定する。そして、以下同様に、比較テーブルから、前回のフラグ値として本決定済みのフラグ値と今回のフラグ値として仮決定されたフラグ値との交差位置に記憶された情報を読み出し、読み出した情報に対応するフラグ値を今回のフラグ値として本決定すればよい。
【符号の説明】
【００４７】
１０  パチンコ機
１６  始動入賞口
１８  液晶ディスプレイ
３０  メイン制御基板
５０  サブ制御基板
５２  サブＣＰＵ（演出制御手段）
５４  サブメモリ（第１記憶手段、第２記憶手段）
５６  演出態様決定部（フラグ値決定手段、第１補正処理手段、第２補正処理手段）
【図１】
2010187736.tif 000003
【図２】
2010187736.tif 000004
【図３】
2010187736.tif 000005
【図４】
2010187736.tif 000006
【図５】
2010187736.tif 000007
【図６】
2010187736.tif 000008
【図７】
2010187736.tif 000009
【図８】
2010187736.tif 000010
【図９】
2010187736.tif 000011